(57)【要約】      （修正有）【課題】下腿の重さと摩擦力等で無理なく自然な自重で牽引し、関節を痛めることなく、或いは人体に余計な負荷が掛からないように排除した携帯用脊椎牽引器を提供する。【解決手段】床等のように平坦な場所にベッド１が設置され、支柱８が垂直に折り曲げストッパー１０で支持し、また、引っ張り力伝達材１３が下腿載置台１５，腰支持具２０が紐状物１４によって連結され、紐状物１４が水平バー材と、方向変換枠体７を介して腰支持具２０の面材がマットの表面に載置される。【選択図】図１
0003139472.tif 000002
【実用新案登録請求の範囲】
【請求項１】
二つ折り可能なベッドのほぼ中央部の両側縁に取付け具を介して折りたたみ可能に支承した一対の支柱と、支柱の上端部、及び中間部に間隔を有して円柱形状等の水平バー材を装着し、また前記支柱の一方側に下腿載置台を配置し、他方側のベッド上に敷設した腰支持具間のそれぞれの端部を上端部の水平バー材、次ぎに中間部の水平バー材を介して方向変換し、かつベッドの下腿載置台の端部に設けた方向変換枠体を介して紐状物で連結した引っ張り力伝達材を着脱自在に設けると共に、牽引の際に脇下に当てる腋下装着用ストッパーを支柱装着したことを特徴とする携帯用脊椎牽引器。
【請求項２】
ベッドは、剛性のあるほぼ同じ大きさの連結された２枚の基盤と、その表面に敷くマットと、基盤の一端部にクッション性のある枕を、他端に方向変換枠体を設けたことを特徴とする請求項１載の携帯型脊椎牽引器。
【請求項３】
下腿載置台がＬ字型に形成し、腰支持具を面材と人体を支持するベルトから構成したことを特徴とする請求項１，２記載のいずれかである携帯用脊椎牽引器。
【請求項４】
引っ張り伝達力材が下腿載置台と腰支具とこれらを連結する紐状物とから構成したことを特徴とする請求項１〜３項記載のいずれかである携帯用脊椎牽引器。
【請求項５】
腋下装着用ストッパーが半円形状の装着片と剛性のある連結体と外周が柔軟性のある脇当て材から構成したことを特徴とする請求項１〜３項記載のいずれかである携帯用脊椎牽引器。
【考案の詳細な説明】
【技術分野】
【０００１】      本考案は、下肢の重さと自身が付加する力を脊椎牽引力に活用し、折りたたみも可能にした携帯型脊椎牽引器に関するものである。
【背景技術】
【０００２】      従来の脊椎牽引器は、人間がマットに仰向けに寝た状態で足首を固定し電動ジャッキにより脊推を牽引するものがある（例えば特許文献１参照。）
また、足首を固定し、人間が逆さに宙吊りになることで脊椎を牽引するものがある（例えば特許文献２参照。）
【特許文献１】特許公開平６−４７０６８
【特許文献２】特許公開２００４−１７４１０５
【考案の開示】
【考案が解決しようとする課題】
【０００３】      しかしながら、従来のこの種脊椎牽引器では、電動ジャッキによる無理な牽引で脊椎を痛めことも多く、あるいは足部より頭部が下方に位置するため、人体に余計な負荷が付加される好ましくない問題があった。【０００４】      本考案は、このような欠点を除去するため、ベッド等にゆったりと身体を仰向になり、自身の下肢の重さと自身が新たに加えた力にで、人体に自重が直接的に加わらずに無理なく安全に脊椎の牽引を達成でき、かつ折りたたみもでき、整理し易く携帯もできる携帯型脊椎牽引器を提供するものである。
【課題を解決するための手段】
【０００５】        本考案は、このような欠点を除去するため、仰向けになるほぼ中央位置で折りたためるベッド中央部の両側縁に折りたたみ可能な支柱を一対設け、その支柱の上方部、中央部に紐ガイド用の水平棒を一定間隔で固定すると共に、ベッドの足方向の末端部に円柱形状の方向変換枠体を設け、また一端部に釣り下げ可能なＬ字型の下腿載置台を、他端に脊椎に当接して骨盤の移動を阻止する腰支持具を紐状物で連結した引っ張り伝達部材を設け、さらに両下肢の重さと故意に付加する力によって人体が足部方向に移動することを防ぐ着脱可能な腋下装着用ストッパーとから構成した携帯用脊椎牽引器を提供するものである。
【考案の効果】
【０００６】      上述したように、本考案に係る携帯用脊椎牽引器は、下腿の重さ及び自身が加える力で無理な牽引がなく脊椎を痛める危険性がない。また人体は仰向け状態でゆったりした状態で脊椎が牽引される構成のため、快適に牽引できる特徴がある。【０００７】      また、ベッドの折り曲げ、支柱の折りたたみ、及び引っ張り伝達部材の着脱が容になるので携帯が可能になる利点がある。
【考案を実施するための最良の形態】
【０００８】      以下に、図面を用いて本考案に係る携帯用脊椎牽引器の一実施例を詳細に説明する即ち、図１、図２は本考案に係る携帯用脊椎牽引器の正面図と平面図であり、さらに詳説すると、１はベッドで図３，図４に抽出して示すように剛性のある分割型の基盤２、３と、その表面に敷設する折り曲げ可能でクッション性のあるマット４と、後記する下方の水平バーを折りたたみの際に収納するためにマット４の端部と枕５端部間に設けた空隙６とから構成し、基盤２，３は例えば、木材、合板、ハニカム盤等の一種以上を用い、枕５は柔らかいクッション性のある素材を使用する。【０００９】      ７は方向変換枠体で、基盤２の長手方向の端部に固定し、後記する引っ張り伝達部材である紐状物の力の方向を転換させるものである。８は支柱で基盤３の左端部の両縁に支柱８を支承可能に固定した取付け具９，下端を基盤３の側縁に固定し、上端を支柱８に固定した折り曲げストッパー１０を介して設ける。また、支柱８は図２，図４に示すように上方部、中央部の高さで、かつ水平に間隔を置いて引っ張り伝達部材の紐状物をガイドする円柱状の水平バー材１１，１２を固定するものである。【００１０】      １３は引っ張り力伝達部材で図１，２、及び図５に斜視図で全体を示すように紐状物１４の一端に装着したＬ字型の下腿載置台１５と他端に装着した腰支持具２０とを連結したものであり、下肢を乗せて自重により脊椎を牽引し、かつ身体が移動するのを腰支持具１９の摩擦力で阻止して強制的な力が身体に付加ないように自然力での快適に牽引できるようにしたものである。【００１１】      また、下腿載置台１５は図５，図６（ａ）、（ｂ）、及び（ｃ）に抽出して示すようにＬ字型部材１６と下腿を乗せ下腿が離脱するのを防止するストッパー１６ａを樋状とした側壁１６ｂと下腿載置盤１７と釣り下げ用の係止具１８と連結紐１９とから構成し、下腿を乗せた際にバランスを維持できるように連結紐１９の中間部を紐状物１４の上端部で締結する。係止具１８はＬ型部材１６の両側縁端部に固定し、連結紐１９を係止するのに役立つ。【００１２】    腰支持具２０は図５，及び後記する図８図、図９に示すようにシート材等の面材２１とベルト２２からなり、面材２１は変形楕円形、円形等で腰の大凡の面積をカバーし、かつフィットする厚さ、柔らかさが有るマットである。また、ベルト２２は２本、適宜間隔で配設して腰部を支持でき、かつ挿入できる圧力と長さで伸縮する素材から構成する。【００１３】    ２３は腋下装着用ストッパーで図７（ａ）、（ｂ）に示すように支柱８への装着片２４と直線的な連結体２５と脇当て材２６からなり、装着片２４は半円形状で支柱８に容易に取付けができる形状、所謂、使用時に図１，図２に示すように支柱８に着脱自在に装着できるものである。また、連結体２５は引っ張り力伝達材１３の使用時でも変形しない程度の剛性がり、装着片２４，脇当て材２６の下端部に固定し、脇当て材２６は脇が痛くならないようなクッション性がある素材の一種、例えば合成樹脂発泡体を剛性のある心材２７の少なくとも外周面を被覆したものである。【００１４】次ぎに、本考案に係る携帯用脊椎牽引器の使用法を簡単に説明する。まず、図１，図２に示すよ���に図示しない床等のように平坦な場所にベッド１が設置され、支柱８が垂直に折り曲げストッパー１０で支持し、また、引っ張り力伝達材１３が下腿載置台１５，腰支持具２０が紐状物１４によって連結され、紐状物１４が水平バー材１１と水平バー材１２、方向変換枠体７を介して腰支持具２０の面材２１がマット４の表面に載置される。さらに、１対の本考案に係る携帯用脊椎牽引器の支柱８の格納状態を示し、図（ａ）は正面図、図（ｂ）は平面図である。【００１５】
0003139472.tif 000003
置台１５の下腿載置板１７にそれぞれ位置関係を調整しながら下肢部を乗せる。また、次ぎに腋下装着用ストッパー２３を脇下に当て、調整し、ベルト２２を腰部に巻き付け、長さを調整し、確実に人体を固定する。この状態で、下肢の重さが紐状物１４を介して人体を引き寄せ、その際に、接触面における各摩擦力、及びそれぞれのストッパーが機能して人体等の自然力で脊椎が牽引され、矯正できるものである。【００１６】      また、本考案に係る携帯用脊椎牽引器を携帯用に格納するには、図１０（ａ）、（ｂ），図１１（ａ）、（ｂ）に示すような順序で収納する。まず、引っ張り力伝達材１３を携帯用脊椎牽引器から取り外す。そこで、支柱８は折り曲げストッパー１０を介して基盤３側に図１０（ａ）に示すように水平に成るまで倒し、二つ折りする。その際の水平棒１１，１２の関係は図１０（ｂ）に示すような位置であり、空隙５が水平棒１１の左側に一部露呈するだけである。勿論、露呈面積は枕６の大きさにより変化するものである。【００１７】      次ぎに、基盤２を１８０度反時計方向に回転すると図１１（ａ）のような側面図の形状に収納される。図１１図（ｂ）は、その平面図であり、携帯用脊椎牽引器が約半分位の長さで、かつ厚さは基盤２，マット４を加算した程度のコンパクトなサイズに収納できるので携帯や収納が極めて容易になる。【００１８】      以上説明したのは、本考案に係る携帯用脊椎牽引器の一実施例であり、マット４を２個分離して形成すること、又は支柱８を金属や木製で製造することもできる。さらに、紐状物１４をシート等で形成し、両端部に紐を装着して前記と同じような機能とすることもできる。また、Ｌ字型部材１６は一部材を成形すること、若しくは２部材以上で構成し、足部を図示しないベルト等で押さえる構成も可能である。連結紐１９は金属線材で形成すること、腰支持具２０の面材２１を筒状、又は２部材に分割した構成にもできる。ベルト２２は両端部に金具による周知の締結構造も可能である。
【図面の簡単な説明】
【００１９】
【図１】本考案に係る携帯型脊椎牽引器一実施例を示す正面図である。
【図２】同携帯型脊椎牽引器の平面図である。
【図３】同携帯型脊椎牽引器の使用時の固定部材の形態を示す正面図である。
【図４】同携帯型脊椎牽引器の平面図である。
【図５】本考案に係る携帯用脊椎牽引器の要部の一つである引っ張り力伝達材を示す斜視図である。
【図６】本考案に係る携帯用脊椎牽引器の下腿載置台の一例を示し、図（ａ）は正面図、図（ｂ）は平面図、及び図（ｃ）は右側面図である。
【図７】本考案に係る携帯用脊椎牽引器の一実施例の腋下装着用ストッパーであり、図（ａ）は正面図、図（ｂ）は平面図である。
【図８】本考案に係る携帯用脊椎牽引器を使用している状態を示す正面図である。
【図９】本考案に係る携帯用脊椎牽引器を使用している状態を示す平面図である。
【図１０】本考案に係る携帯用脊椎牽引器の支柱８の格納状態を示し、図（ａ）は正面図、図（ｂ）は平面図である。
【図１１】本考案に係る携帯用脊椎牽引器を二つ折りにして格納した状態を示し、図（ａ）は正面図、図（ｂ）は平面図である。
【符号の説明】
【００２０】１  ベッド
２  基盤
３  基盤
４  マット
５  枕
７  方向変換枠体
８  支柱
９  取付け具
１０  折り曲げストッパー
１１  水平バー材
１２  水平バー材
１３  引っ張り力伝達材
１４  紐状物
１５  下腿載置台
２０  腰支持具
２３  腋下装着用ストッパー
２６  脇当て材
【図１】
0003139472.tif 000004
【図２】
0003139472.tif 000005
【図３】
0003139472.tif 000006
【図４】
0003139472.tif 000007
【図５】
0003139472.tif 000008
【図６】
0003139472.tif 000009
【図７】
0003139472.tif 000010
【図８】
0003139472.tif 000011
【図９】
0003139472.tif 000012
【図１０】
0003139472.tif 000013
【図１１】
0003139472.tif 000014